(57)【要約】【課題】簡単に設置することができるスプリンクラーを提供する。【解決手段】分岐管５の先端部に、ボールバルブ４、電磁弁６及びベース体１１を介して、スプリンクラーヘッド７を回転可能に接続し、このスプリンクラーヘッド７を囲い体９で全体的に覆う。囲い体９の下方に、ベース体１１から、このベース体１１の下方に配された基礎円筒１４及び基礎１３までを覆うように筒状のベース用カバー体７７を設け、ボールバルブ４及び電磁弁６をこのベース用カバー体７７内に収容する。【選択図】図１
2007105650.tif 000002
【特許請求の範囲】
【請求項１】
放水用ノズルを有する回転可能なスプリンクラーヘッドと、このスプリンクラーヘッドを回転させるモータが設けられた駆動装置と、少なくとも前記スプリンクラーヘッド及び給水配管の接続個所を覆うカバー体と、前記放水用ノズルの噴射口部からの放水を制御する電磁弁と、を備えたスプリンクラーであって、
前記電磁弁は前記カバー体の内側に配置されている、ことを特徴とするスプリンクラー。
【請求項２】
前記カバー体は、グラウンド等に設置されて固定されている、ことを特徴とする請求項１記載のスプリンクラー。
【請求項３】
前記駆動装置は、前記スプリンクラーヘッドの回転角度を設定するための角度設定機構及び設定された回転角度を超えて前記スプリンクラーヘッドが回転することに対する安全構造を含んでいて、
前記角度設定機構は、前記スプリンクラーヘッドに設けられた、検出体及び被検出体のうちの一方体と、前記スプリンクラーヘッドの外周に複数配置された、検出体及び被検出体のうちの他方体と、を有し、
検出体及び被検出体のうちの前記他方体はそれぞれ、前記スプリンクラーヘッドの回転軸を中心として回転的に移動できるように配置され、
検出体及び被検出体のうちの前記一方体と前記他方体との接近により、前記モータが逆方向に回転するように構成され、
前記安全構造は、前記スプリンクラーヘッドに設けられた、押圧部材及びリミットスイッチ部材のうちの一方部材と、前記スプリンクラーヘッドの外周に複数配置された、押圧部材及びリミットスイッチ部材のうちの他方部材と、を有し、
押圧部材及びリミットスイッチ部材のうちの前記他方部材は、検出体及び被検出体のうちの前記他方体に設けられ、
前記リミットスイッチ部材が前記押圧部材に押されることにより、前記モータへの通電が遮断されるように構成されている、ことを特徴とする請求項１又は２記載のスプリンク。
【請求項４】
前記一方部材は押圧部材であり、前記他方部材はリミットスイッチ部材である、ことを特徴とする請求項３記載のスプリンクラー。
【請求項５】
前記放水用ノズルの前記噴射口部からの放水時間を設定できるように構成されていて、
放水時間の設定は、開始回転角度位置から折り返し回転角度位置までの前記スプリンクラーヘッドの往路回転を一回、折り返し回転角度位置から開始回転角度位置までの前記スプリンクラーヘッドの復路回転を一回として計数する回転回数の指定により行われ、
奇数の回転回数を指定したときには、放水時間の経過により、前記スプリンクラーが開始回転角度位置まで復帰するように構成した、ことを特徴とする請求項１、２、３又は４記載のスプリンクラー。
【発明の詳細な説明】
【技術分野】
【０００１】
本発明は、学校の運動場や競技場あるいは公園や庭園等に設置されて、地面や樹木等への水撒きを行ったり、火災時の延焼を防止するために樹木や建物等に散水を行ったりするスプリンクラーに関する。
【背景技術】
【０００２】
学校の運動場やゴルフ場あるいは公園や庭園等への水撒き又は散水は、広範囲にわたる放水が可能なスプリンクラーを用いて行われる場合が多い。このようなスプリンクラーでは、放水用ノズルの噴射口部からの放水を制御して効果的な水撒き又は散水を行うために、配管上に電磁弁が設けられる（例えば、特許文献１参照）。
【０００３】
【特許文献１】実開平６−２４７６３号公報
【発明の開示】
【発明が解決しようとする課題】
【０００４】
しかしながら、グラウンド等に設置されるスプリンクラーでは、電磁弁は、スプリンクラーヘッドが接続される給水配管に、スプリンクラーヘッドと離隔して設けられる。したがって、電磁弁は地中に埋設されることとなるので、地中に電磁弁を収容する空間を構成することが必要となり、スプリンクラーの設置作業が面倒である。また、地中に設けることにより、電磁弁の耐久性が低下したり、電磁弁が故障しやすくなるといった問題も発生する。さらに、電磁弁にメンテナンスを施しにくく、電磁弁設置個所の美観が損われるといった問題もある。
【０００５】
そこで本発明は、上述の課題の一部又は全部を解決することができるスプリンクラーの提供を目的とする。
【課題を解決するための手段】
【０００６】
この目的を達成するための本発明のスプリンクラーは、放水用ノズルを有する回転可能なスプリンクラーヘッドと、このスプリンクラーヘッドを回転させるモータが設けられた駆動装置と、少なくとも前記スプリンクラーヘッド及び給水配管の接続個所を覆う（例えば、少なくとも、スプリンクラーヘッドと給水配管とを接続する接続用部材を全体的に又は部分的に覆う）カバー体と、前記放水用ノズルの噴射口部からの放水を制御する電磁弁と、を備えたスプリンクラーであって、前記電磁弁は前記カバー体の内側に配置されているものである。ここでは、電磁弁を収容する空間を、地中に別途、構成する必要はない。電磁弁は、スプリンクラーヘッド及び給水配管の接続個所に設けることができる。電磁弁はまた、地上に設置することができる。電磁弁は、例えば開閉用であり、放水路又は給水路を遮断及び開放する。
【０００７】
カバー体は通常、グラウンド等に設置されて固定されている。
【０００８】
また、本発明のスプリンクラーは、散水範囲を自由に設定できるように、駆動装置に、スプリンクラーヘッドの回転角度を設定するための角度設定機構を含むことができる。すなわち、角度設定機構を駆動装置の一部として有することができる。角度設定機構は、スプリンクラーヘッドに設けられた、検出体及び被検出体のうちの一方体と、スプリンクラーヘッドの外周に複数配置された、検出体及び被検出体のうちの他方体と、を有し、検出体及び被検出体のうちの他方体はそれぞれ、スプリンクラーヘッドの回転軸を中心として回転的に移動できるように配置され、検出体及び被検出体のうちの一方体と他方体との接近により、モータを逆方向に回転させるように構成されている。このようなスプリンクラーでは、例えば、被検出体の接近にもかかわらず、被検出体が検出されず、設定された回転角度（例えば、開始回転角度位置と折り返し回転角度位置との間）を超えてスプリンクラーヘッドが回転することに対する安全構造を含めておく必要があるが、すなわち、安全装置を駆動装置の一部として有する必要があるが、角度設定機構に対応して簡単に調整できるように、安全構造を、スプリンクラーヘッドに設けられた、押圧部材及びリミットスイッチ部材のうちの一方部材と、スプリンクラーヘッドの外周に複数配置された、押圧部材及びリミットスイッチ部材のうちの他方部材と、を有し、押圧部材及びリミットスイッチ部材のうちの他方部材が検出体及び被検出体のうちの他方体に設けられ、リミットスイッチ部材が押圧部材に押されることにより、モータへの通電を遮断するように構成している。このような構成により、角度設定機構を設定すると、自動的に安全構造が設定される、といったように構成することが可能となる。安全構造は、例えば、設定された回転角度を超えてスプリンクラーヘッドが回転したときにあるいは、スプリンクラーヘッドが開始回転角度位置又は折り返し回転角度位置を超えた場合に、押圧部材によりリミットスイッチ部材が押されて、モータへの通電が遮断されるというように構成できる。
【０００９】
一方部材を押圧部材、他方部材をリミットスイッチ部材とすることができる。このように構成することにより、リミットスイッチ部材が固定側に配置されるので、装置寿命を長くすることができる。
【００１０】
本発明では、スプリンクラーを、スプリンクラーヘッドが、所定の回転角度だけ回転するように構成できる。また、放水用ノズルの噴射口部からの放水時間を設定できるように構成することが可能である。放水時間の設定は、開始回転角度位置から折り返し回転角度位置までのスプリンクラーヘッドの往路回転を一回、折り返し回転角度位置から開始回転角度位置までのスプリンクラーヘッドの復路回転を一回として計数する回転回数の指定により行うことができる。この場合、  奇数の回転回数を指定したときには、放水時間の経過により、すなわち放水終了により、スプリンクラーが開始回転角度位置まで、例えば自動的に、復帰するように構成することが好ましい。
【発明の効果】
【００１１】
本発明のスプリンクラーでは、スプリンクラーヘッドを配置するときに、電磁弁を設けることができる。
【発明を実施するための最良の形態】
【００１２】
以下、本発明を実施するための形態を図面を参照して説明する。
【００１３】
図１乃至図７に示す本発明に係るスプリンクラー１は、学校の運動場３（グラウンド）に設置されて運動場３に水撒きを行うものであり、地下に埋設された水道管（図示せず）から地上（運動場３の上方）まで延びるあるいはほぼ運動場３まで延びる分岐管（給水配管）５の先端部（上端部）に、ボールバルブ４及び例えばスプリンクラーヘッドへの給水路の開閉を行なう電磁弁６を介して、スプリンクラーヘッド７を回転可能に接続し、このスプリンクラーヘッド７を囲い体９で全体的に覆うことにより構成されている。
【００１４】
電磁弁６の先端部には、ニップル１０を介して円盤状のベース体１１が取り付けられ、この円盤状のベース体１１の上面には、筒状のヘッド取付部材１２が固定されている。ヘッド取付部材１２は、下端に設けられた外向きフランジをベース体１１にビス止め又はボルト締めすることにより、ベース体１１に固定されている。ベース体１１には取付貫通穴が形成されていて、ベース体１１は、この取付貫通穴に、電磁弁６の先端部に固定されたニップル１０の先端部を挿入することにより、ニップル１０の先端部に取り付けられている。分岐管５の先端を除く先端部外周には、セメント等で基礎円筒１４内に形成された、円柱状の基礎１３Ａが設けられ、基礎１３Ａは、セメント等で形成された基礎台１３Ｂ上に配置されている。また、電磁弁６は、遠隔操作の制御装置９４（図7参照）によって開閉できるように構成されている。なお、符号１６Ａは電磁弁６の逃し配管、１６Ｂは電磁弁６の２次側排水管、１８Ａはスプリンクラーヘッド７のオートドレン、１８Ｂはスプリンクラーヘッド７のオートドレン排水管である。また、符号２０Ａは排水集管、２０Ｂは電線集管である。
【００１５】
スプリンクラーヘッド７は、上方に延びる、金属パイプ等で形成された導水管１５と、この導水管１５の先端部に固定して接続された、斜め上方に向かって延びる放水用ノズル１７と、を有し、導水管１５は、下端部が取付貫通穴の端末で回転可能になるようにストリュームパイプ押え２２で仕切られて、ヘッド取付部材１２内に通されている。
【００１６】
放水用ノズル１７は、大口径の噴射口部２１が形成されたメインノズル２３と、先端にかけて内壁面が先細となる小口径の噴射小口部２５が形成されたサブノズル２７と、を有し、メインノズル２３は、導水管１５から供給される水２９（図７参照）を加圧状態にして遠くに放水させるように構成されているとともに、サブノズル２７は、噴射小口部２５に細溝３１を形成し、導水管１５から供給される水２９を加圧状態にして比較的近くに飛散させるように構成されている。メインノズル２３の先端側では、内壁面が先端手前まで先細となるように構成することもできる。また、メインノズル２３の先端側は、メインノズル２３の基部にボールジョイント（図示せず）を介して接続されていて、傾斜角度を調整できるように構成されている（図１のメインノズル２３の先端側を表わす仮想線及び図２の矢印参照）。したがって、メインノズル２３の先端側の傾斜角度を大きくし、この状態でメインノズル２３の先端側をメインノズル２３の基部に固定状態とすることにより、例えばメインノズル２３からより遠方に放水することが可能となる。反対に、メインノズル２３の先端側の傾斜角度を小さくし、この状態でメインノズル２３の先端側をメインノズル２３の基部に固定状態とすることにより、例えばメインノズル２３から比較的近距離に放水することが可能となる。
【００１７】
メインノズル２３の基部の外周上面には、雌ネジが形成されている固定穴３３を備えた被せ体固定部３５が一体的に設けられていて、この被せ体固定部３５の固定穴３３、より具体的には、固定穴３３の中心は、スプリンクラーヘッド７の回転中心と一致するように配置されている。
【００１８】
被せ体固定部３５の固定穴３３には、先端部が放水用ノズル１７の先端よりも高い位置まで延びるように、所定の長さ寸法で形成されたボルト３７が、例えば、高さ調節可能に、ねじ付けられていて、このボルト３７は、ナット３９、３９によって被せ体固定部３５に固定されている。
【００１９】
メインノズル２３の噴射口部２１の上端部には、ヒンジ機構４１を介してメインノズル２３の噴射口部２１を覆うカバー栓４３が取り付けられていて、このカバー栓４３は、放水時に開放されるとともに、停止後は、自重によって噴射口部２１を塞ぐように構成されている。なお、カバー栓４３が上方に必要以上に揺動しないようにするために、ヒンジ機構４１にはストッパー手段（例えば、ストッパー片）が備えられている。なお、カバー栓４３を、メインノズル２３及びサブノズル２７の噴射口部２１及び噴射小口部２５を覆うように構成してもよい。
【００２０】
スプリンクラーヘッド７を回転させるための駆動装置４５は、スプリンクラーヘッド７の導水管１５にギアを介して接続され、この導水管１５を回転させる電動モータ４７と、このモータ４７を収容してヘッド取付部材１２に固定された、下部が開口し、上部に導水管１５の先端部を挿通させる開口部４９が形成されたケース体５１と、を有して構成されている。モータ４７は、制御装置９４で制御されていて、この制御装置９４により、放水時には、スプリンクラーヘッド７を、例えば、１分間に１８０度回転させるとともに、放水後（停止時）は、必要に応じて、放水用ノズル１７が放水前の位置（開始回転角度位置）に戻るように、前記スプリンクラーヘッド７を復帰回転させることができるように構成されている。開始回転角度位置へのスプリンクラーヘッド７の復帰は、放水終了後、例えばモータ４７の逆回転により自動的に行われる。ケース体５１の上面又は天井部上面には、スプリンクラーヘッド７の回転軸又は導水管１５を中心として、環状の取付部５３が一体的に形成され、この環状の取付部５３には、複数個、本実施の形態では２個の検出体（センサー）５５、５５が、この取付部５３に沿ってスライド移動可能に取り付けられている。
【００２１】
検出体５５は、図５に示すように（図５等では構成部材の表示が省略される場合がある）、環状の取付部５３に嵌め付けられるように下側に開口した弧状のガイド溝５６が形成されているスライド基部５９と、このスライド基部５９に固定された、例えば、磁気検出型のセンサー本体６１と、で構成されていて、ガイド溝５６が環状の取付部５３を収めた状態で、固定ビス５７によって環状の取付部５３に固定されている。固定ビス５７を緩めることにより、検出体５５を環状の取付部５３上でスライド移動させることができるようになり、任意の位置に固定することが可能となる。なお、検出体５５の移動は、環状の取付部５３と、スライド基部５９の弧状のガイド溝５６とで行うものについて説明したが、上方に開口する環状のガイド溝を形成した環状の取付部５３と、この環状の取付部５３のガイド溝内にスライド移動可能に嵌り込む突起部が形成されているスライド基部５９とで行うように構成してもよい。
【００２２】
一対の検出体５５、５５で検出される被検出体６３は、例えば、金属製のビス材等で構成されていて、スプリンクラーヘッド７の導水管１５と放水用ノズル１７との境界付近に一個固定されている。被検出体６３は、スプリンクラーヘッド７の回転とともに回転移動して、検出体５５に接近することによって検出され、この検出体５５による被検出体６３の検出に基づいて、制御装置９４でモータ４７の回転方向、したがってスプリンクラーヘッド７の回転角度を制御する。例えば、被検出体６３が検出されると、モータ４７を逆回転させるように制御する。
【００２３】
なお、本形態では、環状の取付部５３に一対の検出体５５、５５を取り付け、スプリンクラーヘッド７に被検出体６３を設けた構成の、駆動装置４５の一部としての角度設定機構６５について説明したが、この角度設定機構６５を、例えば、環状の取付部５３に一対の被検出体６３、６３をスライド移動可能に取り付け、スプリンクラーヘッド７に検出体５５を設けるように構成してもよい。
【００２４】
囲い体９は、アルミ、ステンレス合金等の金属板をプレス成型することによって得られ、ベース体１１にビス又はボルト固定された、駆動装置４５を収容する又はほぼ収容するあるいは駆動装置４５の多くの部分を収容する、底部が開口している半球ケース状の基体６７と、この基体６７の上方に配された、スプリンクラーヘッド７の放水用ノズル１７の噴射口部２１及び噴射小口部２５が連なる開口部６９が形成されて、放水用ノズル１７を覆う半球ケース状の被せ体７１と、を有して構成されていて、基体６７及び被せ体７１の全体が一つのオブジェ的外観を有する形状、例えば、球形状等に形成されている。なお、外面は、オブジェとしての装飾性をさらに付加するために、多彩な色彩や模様（例えば、図６に示すようなサッカーボール等を表した模様）、蛍光塗料等で装飾してもよい。なお、放水用ノズル１７の噴射口部２１及び噴射小口部２５は、開口部６９から外側にわずかに突出している。
【００２５】
基体６７には、下端部にベース体１１にビス固定するための固定用フランジ７３が形成され、上方開口部の内周面には、金属板でリング状に形成され、上端部が上方開口部よりも上方に突出するように形成された枠部材７５が溶接等によって固定されている。枠部材７５の内周面には、高さ方向中央で、内側に向かって突出するフランジ７６が一体形成されている。なお、基体６７の下方には、ベース体１１から、このベース体１１の下方に配された基礎円筒１４及び基礎１３Ａ（基礎円筒１４及び基礎１３Ａの下端部）までを覆うように、筒状のベース用カバー体（カバー体）７７が設けられている。したがって、ボールバルブ４及び電磁弁６はベース用カバー体７７内に収容されている。
【００２６】
被せ体７１の上部中央には、スプリンクラーヘッド７のボルト３７が挿入されるボルト挿入孔７９が形成された固定用凹部８１が設けられていて、この固定用凹部８１と被せ体固定部３５との間に筒状の支持体８３が配置されている。また、被せ体７１の下方開口部寄りの内周面には、内側に向かって突出するフランジ８５を有するリング部材が溶接等によって固定されていて、基体６７の枠部材７５の上端部は、被せ体７１の内側に入り込んでいるが、フランジ８５の下面と枠部材７５の上端部との間には、隙間が形成されている。また、被せ体７１の下端と基体６７の上端との間にもわずかな隙間が形成されている。このように構成された被せ体７１は、スプリンクラーヘッド７に固定されてスプリンクラーヘッド７とともに回転する。
【００２７】
基体６７及び被せ体７１には、被せ体７１（スプリンクラーヘッド７）が所定の角度（例えば、１８０度）以上回転しないように、駆動装置４５の一部としての安全装置（安全構造）８６が設けられている。この安全装置８６は、被せ体７１に取り付けられたリング部材のフランジ８５の１個所に、後端部がビス等によって固定された、先端部がフランジ８５よりも内側に向かって突出しているブロック状の突出片８７と、基体６７に取り付けられた枠部材７５のフランジ７６の対向する又はほぼ対向する２個所にボルト等によって固定された（周方向の位置を調整することができる）、突出片８７を受け止めるためのブロック状の回り止め用片８９、８９と、この回り止め用片８９、８９に設けられた回り止めピン９０、９０と、を有して構成されている。すなわち、突出片８７が回り止め用片８９、８９の回り止めピン９０、９０の間を往復できるように構成されている。なお、突出片８７が回り止め用片８９、８９の回り止めピン９０、９０によって受け止められて、被せ体７１（スプリンクラーヘッド７）の回転が阻止されると、モータ４７に過負荷がかかるが、この過負荷を制御装置９４で検出して、制御装置９４によって、モータ４７を逆方向に回転させたり、あるいはモータ４７を非常停止させる。
【００２８】
このような安全装置８６を設けることによって、モータ４７あるいはスプリンクラーヘッド７が所定の回転角度以上に回転するように作動してしまっても、スプリンクラーヘッド７（被せ体７１）の回転を確実に阻止することができる。なお、安全装置８６は、被せ体７１に取り付けられたリング部材のフランジ８５の１個所に突出片８７を設け、基体６７に取り付けられた枠部材７５のフランジ７６の対向する又はほぼ対向する２個所に回り止め用片８９、８９を設けたものについて説明したが、フランジ８５の例えば２個所に突出片８７を設け、フランジ７６の１個所に回り止め用片８９を設けてもよい。
【００２９】
制御装置９４は、運動場３の隅部や屋内等に設置されたボックス体９１と、このボックス体９１に収容された、モータ４７及び電磁弁６を制御する制御機構部９３と、を有して構成されている。制御機構部９３は、モータ４７の回転速度を調整したり、例えば電磁弁６の開閉又は開閉のタイミングを操作又は設定するためのスイッチ類（図示せず）を備えている。この制御装置９４によって、モータ４７の回転速度等の調整を遠隔操作することができる。また、制御装置９４により、放水時間を設定できるように構成されている。放水時間の設定は、開始回転角度位置、例えば被検出体６３が一方の検出体５５で検出される回転角度位置から、折り返し回転角度位置、例えば被検出体６３が他方の検出体５５で検出される回転角度位置までの往路回転を１回、折り返し回転角度位置から開始回転角度位置までの復路回転を１回と計数して、キーから回転数を入力することにより行われる。スプリンクラーヘッド７は、放水しながら入力された回転数だけ回転する。入力された回転数が偶数のときは、放水終了又は放水時間の経過（所定回の回転終了）と同時に、スプリンクラーヘッド７が開始回転角度位置に戻っているが、入力された回転数が奇数のときは、放水終了時には、スプリンクラーヘッド７は折り返し回転角度位置に到達している。したがって、この場合には、モータ４７を逆回転させて、すでに述べたように、スプリンクラーヘッド７を開始回転角度位置に復帰させる。この復帰回転時には、電磁弁６が給水を遮断しているので、放水は行われない。
【００３０】
上記構成のスプリンクラー１は、先ず、基礎台１３Ｂ上に基礎１３Ａを形成してから、分岐管５にボールバルブ４、電磁弁６、ニップル１０及びベース体１１を取り付け、ベース用カバー体７７を配置する。次に、ベース体１１に基体６７及びベース用カバー体７７とヘッド取付部材１２とをビス又はボルト固定する。なお、ヘッド取付部材１２の固定は、予めスプリンクラーヘッド７及び駆動装置４５（駆動装置４５の大部分）を取り付けた状態で行うと効率的である。
【００３１】
次に、ベース体１１上に基体６７、ヘッド取付部材１２及びスプリンクラーヘッド７が配設された状態で被せ体７１を取り付ける。具体的には、筒状体８３を被せ体固定部３５上に載置してから、ボルト３７の上端部が被せ体７１のボルト挿入孔７９より上方に突出するようにして、かつ、放水用ノズル１７の先端部が開口部６９より外方に多少突出するようにして、被せ体７１を取り付け、固定用凹部８１内でボルト３７にナット８８をねじ付けて被せ体７１をスプリンクラーヘッド７に固定する。被せ体７１をスプリンクラーヘッド７に固定した後は、固定用凹部８１を、アルミ、ステンレス合金等の板材をプレス成型して得られたキャップ９５を用いて複数のビスによって固定して塞ぐ。
【００３２】
この場合、基体６７の上端（上方開口縁部）と被せ体７１の下端（下方開口縁部）とが当接しないように、両者を若干の隙間を設けて設置することにより、被せ体７１を効率よく回転させることができる。なお、キャップ９５は、プラスチック材、ゴム材等で形成されたものを用いて固定用凹部８１内に圧入状態で嵌合させるように構成してもよい。
【００３３】
このようにして運動場３（グラウンド）に設置されたスプリンクラー１は、停止時は、図２、図６に示すように、オブジェ的に用いられ、歩行者等の美感に訴えるとともに、被せ体７１を回転させて放水する場合は、放水圧によってカバー栓４３が上方に揺動して、メインノズル２３の噴射口部２１を開放する。この状態でスプリンクラーヘッド７及び被せ体７１が回転することにより、図７に示すように、運動場３に広範囲に放水することができる。なお、放水の停止時には、上方に揺動した前記カバー栓４３が自重によって下方に揺動し、メインノズル２３の噴射口部２１を閉塞する。メインノズル２３及びサブノズル２７からは水２９を噴射させるが、液状の薬剤等を散布するように用いてもよい。
【００３４】
また、スプリンクラー１は、運動場３に固定されて配置された基体６７の上側で被せ体７１を回転させるように構成しているので、運動場３に落ちているゴミや草、微粒土砂等に影響されずに、効率よく被せ体７１を回転させることができる。
【００３５】
なお、放水用ノズル１７及び駆動装置４５が、基体６７及び被せ体７１内に収容され、被せ体７１を基体６７の上側で回転させるように構成したものについて説明したが、放水用ノズル１７及び駆動装置４５を収容することができる被せ体を用いて（図示せず）、この被せ体を例えばベース用カバー体７７の上部位置で回転させるように構成してもよい。なお、この場合、地面に落ちているゴミや草、微粒土砂等によって被せ体の回転が阻害されないようにするために、この被せ体の下部外周に、ゴミよけ等の枠材を設置すると効果的である。
【００３６】
また、囲い体９は、アルミ、ステンレス合金等の金属板材をプレス成形することによって得られるものについて説明したが、例えば、強化プラスチック材を用いて、射出成形等によって製造したり、木材を切削加工する等して製造してもよい。
【００３７】
さらに、カバー栓４３は、メインノズル２３の噴射口部２１の上端部に取り付けられたものについて説明したが、カバー栓４３を、被せ体７１の開口部６９の上部にヒンジ機構を介して取り付けるように構成してもよい。
【００３８】
また、スプリンクラー１は、運動場３の日向部分と日陰部分とで放水量を調節できるように構成してもよい。具体的には、例えば、運動場３に、湿度、温度、明るさ等を測定するセンサーあるいは太陽光の直接照射等を感知するセンサー、すなわち、日向及び日陰あるいは日向又は日陰を検出するセンサーを複数点在させて設置し、このセンサーによる日向又は日陰の検出結果に基づいて、制御装置９４でモータ４７の回転速度、すなわち、スプリンクラーヘッド７の回転速度を調節することができるように構成する。そして、センサーによる検出に基づいて、日向部分では、制御装置９４でモータ４７の回転速度を遅くして、日向部分に多くの水を撒くようにする。また、日陰部分では、制御装置９４でモータ４７の回転速度を速くして、又は元に戻して水を撒く量を抑える。ここでは、モータ４７にステッピングモータを使用することもできる。
【００３９】
図８は別の安全装置の構成を説明するための斜視図、図９は別の安全装置の構成を説明するための平面図ある。
【００４０】
駆動装置４５の一部としての別の安全装置９５は、それぞれの検出体５５に設けられたリミットスイッチ（リミットスイッチ部材）９７、９７と、スプリンクラーヘッド７の導水管１５と放水用ノズル１７との境界付近に一個固定されている押圧片（押圧部材）９９と、を備えている。リミットスイッチ９７は、スライド基部５９に設けられた取り付け部１０１に、スイッチレバー１０３の基部が回転可能に取り付けられた接点部１０５を固定することにより構成され、押圧片９９は、スイッチレバー１０３の先端部を押してスイッチレバー１０３を回転させることができるように設けられている。被検出体６３が検出体５５により検出され、スプリンクラーヘッド７が所定の回転角度位置で逆回転する場合には、押圧片９９はスイッチレバー１０３の先端部を押さないように、あるいは接点が切り換わるまでは押さないように構成されている。しかしながら、例えば、接近した被検出体６３が検出体５５によって検出されず、スプリンクラーヘッド７が所定の回転角度位置を超えて回転した場合には、押圧片９９に先端部が押されてスイッチレバー１０３が回転し、スイッチレバー１０３のこの回転により接点部１０５で接点が切り換わり、モータ４７への通電が遮断され、スプリンクラーヘッド７は回転を停止する（図９の仮想線参照）。スプリンクラーヘッド７を再び回転させるには、押圧片９９がスイッチレバー１０３の先端部を押さない位置までスプリンクラーヘッド７を戻して制御装置９４を操作する。なお、ここでは、突出片８７、回り止め用片８９及び回り止めピン９０は設けられていない。また、スイッチレバー１０３は、元の回転角度位置に自動的に復帰するように、バネで付勢されている。
【産業上の利用可能性】
【００４１】
本発明のスプリンクラーは、学校の運動場や競技場あるいは公園や庭園等に設置されて優れた機能を発揮する。
【図面の簡単な説明】
【００４２】
【図１】本発明のスプリンクラーの正面方向の断面図である。
【図２】本発明のスプリンクラーの斜視図である。
【図３】本発明のスプリンクラーの平面図である。
【図４】被せ体と基体との取り付け位置関係を示した要部拡大断面図である。
【図５】角度設定機構の説明図である。
【図６】囲い体の外面に模様を付した一例を示した斜視図である。
【図７】放水状態を示した斜視図である。
【図８】別の安全装置の構成を説明するための斜視図である。
【図９】別の安全装置の構成を説明するための平面図ある。
【符号の説明】
【００４３】
１                スプリンクラー
６                電磁弁
７                スプリンクラーヘッド
１７              放水用ノズル
２１              噴射口部
４５              駆動装置
４７              モータ
７７              ベース用カバー体
【図１】
2007105650.tif 000003
【図２】
2007105650.tif 000004
【図３】
2007105650.tif 000005
【図４】
2007105650.tif 000006
【図５】
2007105650.tif 000007
【図６】
2007105650.tif 000008
【図７】
2007105650.tif 000009
【図８】
2007105650.tif 000010
【図９】
2007105650.tif 000011